(57)【要約】【課題】複数の厚みのパネルを一種類のパネル固定金具で固定でき、保持力の強いパネル固定金具及びパネル固定金具ユニットを提供すること。【解決手段】パネル固定金具３は、ブラケット金具１０、シャッタ金具２０、太陽電池パネルの縁部を保持するホールド金具３０、締付ボルト４１，ナット５１、ナット５２、スプリングワッシャ５３及びワッシャ５４から構成される。ブラケット金具１０にシャッタ金具２０が載置され、シャッタ金具２０の被差込部２５とブラケット金具１０の差込口１１Ｂの重なりにより形成される開口にホールド金具３０の差込部３５が差し込まれて、締付ボルト４１，ナット５１、ナット５２、スプリングワッシャ５３、及びワッシャ５４により、ブラケット金具１０、シャッタ金具２０及びホールド金具３０が太陽電池パネルの縁部を保持して一体に固定される。【選択図】図２
2016090047.tif 000002
【特許請求の範囲】
【請求項１】
パネルを押さえるホールド金具と、前記ホールド金具を保持するブラケット金具と、前記ホールド金具が押さえる前記パネルと前記ブラケット金具との間に挟まれるシャッタ金具とを備えたパネル固定金具であって、
前記ホールド金具は、
前記パネルの縁部を押さえる押さえ部と、
前記押さえ部を支持する第一支持部と、
前記第一支持部が立設される板部と、
前記板部の前記第一支持部が立設された端部と反対側の端部から前記第一支持部の延設方向と反対側に延設された差込部とを備え、
前記板部には、前記ホールド金具、前記シャッタ金具及び前記ブラケット金具を締め付ける締付ボルトが貫通する第一ボルト孔が形成され、
前記差込部は先端側の幅が前記板部側の幅より狭く形成され、
前記ブラケット金具は、
前記シャッタ金具が載置される平板状のシャッタ金具載置部と、
前記シャッタ金具載置部と交差する方向に延設され前記シャッタ金具載置部を支持する第二支持部と備え、
前記シャッタ金具載置部には、
前記締付ボルトが貫通する第二ボルト孔と、
前記差込部が差し込まれる開口である差込口が形成され、
前記第二支持部には、前記ブラケット金具を支持する支持ボルトが貫通する支持ボルト孔が形成され、
前記シャッタ金具は、
板状部と、
前記板状部に形成され、前記締付ボルトが貫通する開口が複数一列に形成された第三ボルト孔と、
前記板状部に形成され、前記差込部が差し込まれる大きさの異なる複数の開口が一列に形成された被差込部とを備え、
前記第三ボルト孔の複数の前記開口の形成方向と、前記被差込部の複数の前記開口の形成方向は、同一方向であり、
前記ブラケット金具の前記差込口の大きさは、少なくとも前記被差込部の最大の開口と同一以上の大きさであることを特徴とするパネル固定金具。
【請求項２】
前記ホールド金具は、板状の金属を折り曲げた形状に形成され、
前記差込部は、差し込み方向と交差する方向の幅が複数の幅から成る段状部に形成され、
前記被差込部の複数の前記開口は、複数の幅から成る前記段状部の各々が差し込み可能な大きさに形成されていること
を特徴とする請求項１に記載のパネル固定金具。
【請求項３】
前記第三ボルト孔の複数の開口のピッチと、前記被差込部の複数の開口のピッチが同一であることを特徴とする請求項１又は２に記載のパネル固定金具。
【請求項４】
前記シャッタ金具の前記板状部の前記パネルの縁部の下面に当接する部分には、突起が形成されていることを特徴とする請求項１〜３の何れかに記載のパネル固定金具。
【請求項５】
前記ブラケット金具の前記第二支持部の前記支持ボルト孔が形成された側と反対側端部には、前記パネルの前記縁部の下面側を保持する保持部が立設されていることを特徴とする請求項１〜４の何れかに記載のパネル固定金具。
【請求項６】
前記ブラケット金具は、前記第二支持部を挟んで前記第二支持部と交差する方向に各々延設された一対の前記シャッタ金具載置部を備え、
前記第二支持部と反対側の前記シャッタ金具載置部の端部には、前記パネルの前記縁部の下面側を保持する保持部が立設されていることを特徴とする請求項１〜４の何れかに記載のパネル固定金具。
【請求項７】
請求項１〜５の何れかに記載のパネル固定金具と、
前記パネル固定金具を支持する固定金具支持部材とからなるパネル固定金具ユニットであって、
前記固定金具支持部材には、
前記パネル固定金具の前記ブラケット金具を支持する支持ボルトが貫通する固定金具支持部材側ボルト孔と、
前記ブラケット金具が係止される係止部と、
前記固定金具支持部材を支持する第二支持ボルトが貫通する第二支持ボルト孔が形成された基部と
を備えたことを特徴とするパネル固定金具ユニット。
【請求項８】
前記固定金具支持部材には、前記固定金具支持部材の長手方向に沿って前記固定金具支持部材側ボルト孔が複数設けられていることを特徴とする請求項７に記載のパネル固定金具ユニット。
【請求項９】
請求項１〜４及び６の何れかに記載のパネル固定金具と、
前記パネル固定金具を支持する固定金具支持部材とからなるパネル固定金具ユニットであって、
前記固定金具支持部材には、
前記パネル固定金具の前記ブラケット金具の前記第二支持部を支持するブラケット金具支持部と、
前記ブラケット金具支持部に設けられ、前記支持ボルトが貫通する固定金具支持部材側ボルト孔と、
前記固定金具支持部材を支持する第二支持ボルトが貫通する第二支持ボルト孔が形成された基部と
を備えたことを特徴とするパネル固定金具ユニット。
【発明の詳細な説明】
【技術分野】
【０００１】
本発明は、太陽電池パネル等のパネルを固定するパネル固定金具及びパネル固定金具ユニットに関する。
【背景技術】
【０００２】
従来、家屋の屋根上に太陽電池パネルを設置する場合、特許文献１に開示されているように、長尺状の鋼材を屋根材に井桁状又は屋根の傾斜方向に沿って互いに平行になるように取り付け、このレール金具にパネル固定金具を固定して太陽電池パネルをレール金具に固定する方法が主流である。この場合には、太陽電池パネルのサイズに合わせてレール金具の任意の位置にパネル固定金具が配置される。最近では、鋼材としてリップ溝形鋼が用いられる。また、特許文献２に開示されているように、パネル固定金具は、本体部の長孔にボルトを通して、当該ボルトが貫通する上下一対の支持片により太陽電池パネルを挟み込んで、ナットにより締め付けるものが知られている。
【先行技術文献】
【特許文献】
【０００３】
【特許文献１】特開平８−１９３３９２号公報
【特許文献２】特開２０１３−１１２９９１号公報
【発明の概要】
【発明が解決しようとする課題】
【０００４】
しかしながら、太陽電池パネルは生産した会社により太陽電池パネルの縁部の厚みが異なり、各社の太陽電池パネルの厚みに各々対応した複数種類の固定金具を準備する必要があった。従って、太陽電池パネルの設置業者は、生産した会社毎に対応した複数の金具を準備する必要が有った。また、上記特許文献２に記載のパネル固定金具では、ボルトが貫通する上下一対の支持片により太陽電池パネルを挟み込んで、ナットにより締め付けるのみである。従って、強風等により太陽電池パネルに下から力が掛かると、上側の支持片がボルトを支点にして傾いてパネル側が持ち上がり反対側が下がり、太陽電池パネルがパネル固定金具から外れるという問題点があった。
【０００５】
本発明の第一の目的は、複数の厚みのパネルを一種類のパネル固定金具で固定できるパネル固定金具及びパネル固定金具ユニットを提供することである。また、本発明の第二の目的は、強風等によりパネルが外れることのないパネルの保持力の強いパネル固定金具及びパネル固定金具ユニットを提供することである。
【課題を解決するための手段】
【０００６】
本発明の第一態様であるパネル固定金具は、パネルを押さえるホールド金具と、前記ホールド金具を保持するブラケット金具と、前記ホールド金具が押さえる前記パネルと前記ブラケット金具との間に挟まれるシャッタ金具とを備えたパネル固定金具であって、前記ホールド金具は、前記パネルの縁部を押さえる押さえ部と、前記押さえ部を支持する第一支持部と、前記第一支持部が立設される板部と、前記板部の前記第一支持部が立設された端部と反対側の端部から前記第一支持部の延設方向と反対側に延設された差込部とを備え、前記板部には、前記ホールド金具、前記シャッタ金具及び前記ブラケット金具を締め付ける締付ボルトが貫通する第一ボルト孔が形成され、前記差込部は先端側の幅が前記板部側の幅より狭く形成され、前記ブラケット金具は、前記シャッタ金具が載置される平板状のシャッタ金具載置部と、前記シャッタ金具載置部と交差する方向に延設され前記シャッタ金具載置部を支持する第二支持部と備え、前記シャッタ金具載置部には、前記締付ボルトが貫通する第二ボルト孔と、前記差込部が差し込まれる開口である差込口が形成され、前記第二支持部には、前記ブラケット金具を支持する支持ボルトが貫通する支持ボルト孔が形成され、前記シャッタ金具は、板状部と、前記板状部に形成され、前記締付ボルトが貫通する開口が複数一列に形成された第三ボルト孔と、前記板状部に形成され、前記差込部が差し込まれる大きさの異なる複数の開口が一列に形成された被差込部とを備え、前記第三ボルト孔の複数の前記開口の形成方向と、前記被差込部の複数の前記開口の形成方向は、同一方向であり、前記ブラケット金具の前記差込口の大きさは、少なくとも前記被差込部の最大の開口と同一以上の大きさであることを特徴とすることを特徴とする。
【０００７】
上記パネル固定金具は、ブラケット金具のシャッタ金具載置部にシャッタ金具が載置される。この状態で、シャッタ金具の位置を変えることによって、ブラケット金具の差込口とシャッタ金具の被差込部の重なる位置が変更されることによって、ホールド金具の差込部が差し込まれる開口部の大きさがシャッタ金具の被差込部の大きさにより規制される。この状態で、ブラケット金具の差込口とシャッタ金具の被差込部の重なりにより形成される開口にホールド金具の差込部が差し込まれる深さが規制される。この重なりにより形成される開口部が大きければ、ホールド金具の差込部は深く差し込まれ、この重なりにより形成される開口部が小さければ、ホールド金具の差込部は浅く差し込まれる。従って、シャッタ金具の板状部とホールド金具の押さえ部の間隔はシャッタ金具の位置により変更される。従って、上記パネル固定金具は金具を変更することなく、各種の厚みのパネルを固定できる。また、締付ボルトを支点として、ホールド金具の押さえ部を力点とした場合の作用点は、ブラケット金具の差込口とシャッタ金具の被差込部の重なりにより形成される開口部に差し込まれるホールド金具の差込部になる。当該差込部はシャッタ金具の被差込部の周囲に当接するので、締付ボルトを支点としてホールド金具が傾いて押さえ部が上に上がりパネルが外れることが防止できる。従って、複数の厚みのパネルを一種類のパネル固定金具で固定でき、強風等によりパネルが外れることのないパネルの保持力の強いパネル固定金具が実現できる。
【０００８】
前記ホールド金具は、板状の金属を折り曲げた形状に形成され、前記差込部は、差し込み方向と交差する方向の幅が複数の幅から成る段状部に形成され、前記被差込部の複数の前記開口は、複数の幅から成る前記段状部の各々が差し込み可能な大きさに形成されていてもよい。この場合には、ホールド金具の差込部がブラケット金具の差込口とシャッタ金具の被差込部の重なりにより形成される開口部に差し込まれる深さが、差込部の複数の幅と同じ数だけ段階的に変化する。従って、ホールド金具の押さえ部とシャッタ金具の板状部の間隔も差込部の複数の幅と同じ数だけ段階的に変化する。従って、差込部の段状部の段数と各段の高さとを予め、保持される複数の厚みのパネルに合わせて形成しておくだけで、それらの複数の厚みのパネルに対応して保持できる。
【０００９】
前記第三ボルト孔の複数の開口のピッチと、前記被差込部の複数の開口のピッチが同一であってもよい。この場合には、シャッタ金具の板状部に形成された第三ボルト孔の複数の開口の何れかに締付ボルトを貫通することにより、ブラケット金具に対するシャッタ金具の位置が決まり、ブラケット金具の差込口と重なるシャッタ金具の被差込部の開口の位置が決まる。従って、シャッタ金具の板状部に形成された第三ボルト孔の開口の何れに締付ボルトを貫通させるかにより、ブラケット金具の差込口と重なるシャッタ金具の被差込部の開口によりホールド金具の差込部の差し込める開口の大きさが決まる。よって、ホールド金具の押さえ部とシャッタ金具の板状部の間隔を決めることができる。
【００１０】
前記シャッタ金具の前記板状部の前記パネルの縁部の下面に当接する部分には、突起が形成されていてもよい。この場合には、ホールド金具の押さえ部とシャッタ金具の板状部の間にパネルの縁部を保持した場合に、当該突起がパネルの縁部の下面に食い込むことにより、パネル固定金具とパネルの縁部との電気的導通を確実に取ることができる。
【００１１】
前記ブラケット金具の前記第二支持部の前記支持ボルト孔が形成された側と反対側端部には、前記パネルの前記縁部の下面側を保持する保持部が立設されていてもよい。この場合には、保持部がパネルの縁部の下面側から縁部の裏側に入り込むので、パネルがパネル固定金具から外れることを防止できる。
【００１２】
前記ブラケット金具は、前記第二支持部を挟んで前記第二支持部と交差する方向に各々延設された一対の前記シャッタ金具載置部を備え、前記第二支持部と反対側の前記シャッタ金具載置部の端部には、前記パネルの前記縁部の下面側を保持する保持部が立設されているようにしてもよい。この場合には、第二支持部と一対のシャッタ金具載置部とを一体に形成したブラケット金具が実現できる。
【００１３】
本発明の第二態様であるパネル固定金具ユニットは、上記何れかに記載のパネル固定金具と、前記パネル固定金具を支持する固定金具支持部材とからなるパネル固定金具ユニットであって、前記固定金具支持部材には、前記パネル固定金具の前記ブラケット金具を支持する支持ボルトが貫通する固定金具支持部材側ボルト孔と、前記ブラケット金具が係止される係止部と、前記固定金具支持部材を支持する第二支持ボルトが貫通する第二支持ボルト孔が形成された基部とを備えたことを特徴とする。このパネル固定金具ユニットは、前記何れかに記載のパネル固定金具と同様の効果を奏することができる。また、上記パネル固定金具ユニットは、固定金具支持部材に左右一対のパネル固定金具を支持することにより左右に各々パネルを保持することができる。また、上記パネル固定金具ユニットは、左右一対のパネルが山型又は谷型の何れに配置される場合でも左右一対のパネルを保持できる。
【００１４】
前記固定金具支持部材には、前記固定金具支持部材の長手方向に沿って前記固定金具支持部材側ボルト孔が複数設けられていてもよい。この場合には、使用する固定金具支持部材側ボルト孔を変更することにより、保持するパネルの傾斜を一定角度で維持して、パネルの長さに合わせることができる。
【００１５】
本発明の第三態様であるパネル固定金具ユニットは、上記何れかに記載のパネル固定金具と、前記パネル固定金具を支持する固定金具支持部材とからなるパネル固定金具ユニットであって、前記固定金具支持部材には、前記パネル固定金具の前記ブラケット金具の前記第二支持部を支持するブラケット金具支持部と、前記ブラケット金具支持部に設けられ、前記支持ボルトが貫通する固定金具支持部材側ボルト孔と、前記固定金具支持部材を支持する第二支持ボルトが貫通する第二支持ボルト孔が形成された基部とを備えるようにしてもよい。このパネル固定金具ユニットは、前記何れかに記載のパネル固定金具と同様の効果を奏することができる。また、上記パネル固定金具ユニットは、ブラケット金具支持部により、第二支持部と一対のシャッタ金具載置部とを一体に形成したブラケット金具を支持することができる。
【図面の簡単な説明】
【００１６】
【図１】パネル固定金具３，４及びパネル固定金具ユニット１，２の使用状態示す図である。
【図２】パネル固定金具３の分解斜視図である。
【図３】ブラケット金具１０の正面図である。
【図４】ブラケット金具１０の平面図である。
【図５】シャッタ金具２０の平面図である。
【図６】シャッタ金具２０の正面図である。
【図７】ホールド金具３０の正面図である。
【図８】ホールド金具３０の左側面図である。
【図９】ホールド金具３０の平面図である。
【図１０】固定金具支持部材６の正面図である。
【図１１】固定金具支持部材６の平面図である。
【図１２】固定金具支持部材６へのブラケット金具１０の組付けを示す斜視図である。
【図１３】固定金具支持部材７の正面図である。
【図１４】パネル固定金具３の第一〜第三使用状態を示す正面図である。
【図１５】太陽電池パネル５の長さが図１と異なるパネル固定金具３，４及びパネル固定金具ユニット１，２の第二の使用状態示す図である。
【図１６】ホールド金具３０の変形例の左側面図である。
【図１７】第二実施の形態のパネル固定金具ユニット８０の分解斜視図である。
【図１８】ブラケット金具９０を裏返して使用する状態を示す斜視図である。
【発明を実施するための形態】
【００１７】
本発明を具体化した第一実施の形態について、図面を参照して説明する。尚、図１は、パネル固定金具３，４及びパネル固定金具ユニット１，２の使用状態を示している。図１の上、下、左、右が、パネル固定金具３，４の上、下、左、右を示す。また、図１２の上、下、左斜め下、右斜め上、右斜め下、左斜め上が固定金具支持部材６及びブラケット金具１０の上、下、左、右、前、後ろを示す。また、図１７の上、下、左斜め下、右斜め上、右斜め下、左斜め上が固定金具支持部材６及びブラケット金具１０の上、下、左、右、前、後ろを示す。また、パネル固定金具ユニット８０の上、下、左、右、前、後ろを示す。
【００１８】
＜１．パネル固定金具ユニット１，２の概略構造＞
図１を参照して、パネル固定金具ユニット１，２の概略構造について説明する。以下の説明では、パネルの一例として太陽電池パネル５を用いる。パネル固定金具ユニット１は、太陽電池パネル５の傾斜方向に於ける後側（山側）を支えるパネル固定金具ユニットである。また、パネル固定金具ユニット２は、太陽電池パネル５の傾斜方向に於ける前側（谷側）を支えるパネル固定金具ユニットである。パネル固定金具ユニット１は、少なくとも左右一対のパネル固定金具３，４と、パネル固定金具３，４を支持する固定金具支持部材６を備える。パネル固定金具３，４は支持ボルト１５により固定金具支持部材６に固定される。固定金具支持部材６は、リップ溝形鋼８に図示外の固定金具とボルトにより固定される。パネル固定金具４は、パネル固定金具３と同一のものであり、パネル固定金具３と左右逆向きに固定されているだけである。また、パネル固定金具ユニット２は、少なくとも、固定金具支持部材６より短い固定金具支持部材７とパネル固定金具３，４とを備える。パネル固定金具３，４は支持ボルト１５により固定金具支持部材７に固定される。固定金具支持部材７は、リップ溝形鋼８に図示外の金具とボルトにより固定される。
【００１９】
＜２．パネル固定金具３の構造＞
次に、図２を参照して、パネル固定金具３の構造を説明する。パネル固定金具３は、少なくとも、ブラケット金具１０と、ブラケット金具１０に載置されるシャッタ金具２０と、太陽電池パネル５の縁部５Ａ（図１４参照）を保持するホールド金具３０と、締付ボルト４１、ナット５１、ワッシャ５４、スプリングワッシャ５３、及びナット５２から構成される。ブラケット金具１０にシャッタ金具２０が載置され、シャッタ金具２０の被差込部２５とブラケット金具１０の差込口１１Ｂの重なりにより形成される開口にホールド金具３０の差込部３５が差し込まれて、締付ボルト４１、ナット５１、ワッシャ５４、スプリングワッシャ５３、及びナット５２により、ブラケット金具１０、シャッタ金具２０及びホールド金具３０が太陽電池パネル５の縁部５Ａ（図１４参照）を保持して一体に固定される。パネル固定金具４も同様の構造である。
【００２０】
＜３．ブラケット金具１０の構造＞
次に、図２〜図４を参照して、ブラケット金具１０の構造を説明する。ブラケット金具１０は、固定金具支持部材６又は固定金具支持部材７に支持される金具であり、金属の板材により構成され、パネル固定金具３の台座となるものである。ブラケット金具１０は、シャッタ金具２０が載置される矩形の平板状のシャッタ金具載置部１１と、シャッタ金具載置部１１と交差する方向（一例として直交方向）に延設されシャッタ金具載置部１１を支持する第二支持部１２とを備える。シャッタ金具載置部１１は平面視すると長方形である。また、第二支持部１２は図３に於ける左右方向に延設され、正面視すると略長方形である。
【００２１】
図３及び図４において、第二支持部１２の左端部には、支持ボルト１５が貫通する支持ボルト孔１４Ａが形成された支持部１４が形成されている。図３に示すように、支持部１４は左端部が円弧状に形成されており、当該円弧の中心を中心として支持ボルト孔１４Ａが形成されている。
【００２２】
図３及び図４に示すように、ブラケット金具１０のシャッタ金具載置部１１の長手方向の中心より支持部１４寄りには、締付ボルト４１が貫通する第二ボルト孔１１Ａが形成されている。また、シャッタ金具載置部１１の第二ボルト孔１１Ａの支持部１４寄りには、シャッタ金具載置部１１の長手方向と直交する方向（第二支持部１２と直交する方向）に延設された長方形の孔である差込口１１Ｂが形成されている。差込口１１Ｂは、ホールド金具３０の差込部３５の一番幅の広い部分である三段目部３５Ｃが挿入可能な大きさに形成されている。また、第二ボルト孔１１Ａの中心と差込口１１Ｂの中心との間隔は、後述するシャッタ金具２０の板状部２１の第三ボルト孔２４の開口２４Ａの中心と被差込部２５の開口２５Ａの中心との間隔、開口２４Ｂの中心と開口２５Ｂの中心との間隔、開口２４Ｃの中心と開口２５Ｃの中心との間隔と各々同じになっている。
【００２３】
また、図２及び図３に示すように、第二支持部１２の支持部１４と反対側の端部（図３に於ける右端部）からは、上方に向けて正面視略長方形の板材の保持部１３が突出している。保持部１３は、図１４（Ａ）〜図１４（Ｃ）に示すように、太陽電池パネル５の裏側に挿入されてのブラケット金具１０から縁部５Ａが外れることを防止する。
【００２４】
＜４．シャッタ金具２０の構造＞
次に、図２、図５及び図６を参照して、シャッタ金具２０の構造を説明する。図２、図５及び図６に示すように、シャッタ金具２０は、金属製の板材から形成され、平面視すると長方形の板状部２１と、板状部２１の図５に於ける上下の端部から各々下方（図６に於ける）に折り曲げられた端部２２，２２を備えている。図６に示すように、端部２２は正面視すると横長の長方形である。図５に示す上側の端部２２と下側の端部２２との間隔は、図４に示すブラケット金具１０のシャッタ金具載置部１１の幅（ブラケット金具１０の長手方向と直交する方向の幅）より広くなっている。図５に示すように、シャッタ金具２０の板状部２１の中央部より右側には、突起２３が複数（一例として６個）形成され、後述する被差込部２５の周囲にも突起２３が複数（一例として４個）形成されている。突起２３は、一例として、プレスにより形成されたものである。
【００２５】
また、図５に示すように、シャッタ金具２０の板状部２１の中央部から左側に向けて、板状部２１の長手方向に沿って第三ボルト孔２４が形成されている。第三ボルト孔２４は、本実施の形態では、一例として、締付ボルト４１が貫通可能な開口としての開口２４Ａ、開口２４Ｂ、開口２４Ｃが板状部２１の長手方向に沿って一列に繋がって形成されている。開口２４Ａ、開口２４Ｂ、開口２４Ｃの形成ピッチ（孔の中心の間隔）は、後述する被差込部２５の開口２５Ａ、開口２５Ｂ、開口２５Ｃの形成ピッチ（開口の中心の間隔）と同一である。
【００２６】
また、図５に示すように、シャッタ金具２０の板状部２１の第三ボルト孔２４から左側に向けて、板状部２１の長手方向に沿って被差込部２５が形成されている。本実施の形態では、一例として、被差込部２５は第三ボルト孔２４側から開口２５Ａ、開口２５Ｂ及び開口２５Ｃが板状部２１の長手方向に沿って一列に繋がって形成されている。開口２５Ａ、開口２５Ｂ及び開口２５Ｃは、シャッタ金具２０の長手方向と直交する方向に各々延設された長方形の孔であり、お互いの仕切りの壁部は無い。開口２５Ａは、ホールド金具３０の差込部３５の一段目部３５Ａ（図２、図７及び図８参照）が差し込み可能な大きさの開口部であり、差込部３５の二段目部３５Ｂが差し込めない大きさの開口である。また、開口２５Ｂは、ホールド金具３０の差込部３５の二段目部３５Ｂが差し込み可能な大きさの開口部であり、差込部３５の三段目部３５Ｃが差し込めない大きさの開口である。また、開口２５Ｃは、ホールド金具３０の差込部３５の三段目部３５Ｃが差し込み可能な大きさの開口部であり、差込部３５の基部３４が差し込めない大きさの開口である。開口２５Ａ、開口２５Ｂ、開口２５Ｃの中心は同一線上に並び、開口２５Ａ、開口２５Ｂ、開口２５Ｃの形成ピッチ（開口の中心の間隔）は、開口２４Ａ、開口２４Ｂ、開口２４Ｃの形成ピッチ（孔の中心の間隔）と同一である。
【００２７】
＜５．ホールド金具３０の構造＞
次に、図２、図７〜図９を参照して、ホールド金具３０の構造を説明する。ホールド金具３０は、金属製の板材から形成され、少なくとも、太陽電池パネル５の縁部５Ａ（図１４参照）を押さえる押さえ部３３と、押さえ部３３を支持する第一支持部３２と、第一支持部３２が立設される板部３１と、板部３１の第一支持部３２が立設された端部と反対側の端部から第一支持部３２の延設方向と反対側に延設された差込部３５とから形成されている。図９に示すように、押さえ部３３は平面視すると略長方形の板材である。第一支持部３２は、図８に示すように左側から見ると長方形の板材であり、第一支持部３２の上部は押さえ部３３の一端部に接続されており、第一支持部３２と押さえ部３３は一例として直交している。図９に示すように、板部３１は平面視すると長方形であり、一端部（図７に示す右端部）から第一支持部３２が上方に立設され、他端部（図７に示す左端部）から下方に差込部３５が延設されている。また、板部３１の中央に締付ボルト４１が貫通する第一ボルト孔３１Ａが形成されている。
【００２８】
図２、図７及び図８に示すように、差込部３５は、先端側（下側）から、一段目部３５Ａ、二段目部３５Ｂ、三段目部３５Ｃ及び基部３４となっている。一段目部３５Ａは、一番幅（図８に於ける左右方向の幅）が一番狭い長方形の板部である。二段目部３５Ｂは一段目部３５Ａより幅（図８に於ける左右方向の幅）が広く、三段目部３５Ｃより幅（図８に於ける左右方向の幅）が狭い長方形の板部である。三段目部３５Ｃは二段目部３５Ｂより幅（図８に於ける左右方向の幅）が広く、基部３４より幅（図８に於ける左右方向の幅）が狭い長方形の板部である。基部３４は、板部３１と同一の幅（図８に於ける左右方向の幅）となっている。二段目部３５Ｂ、三段目部３５Ｃ、基部３４及び第一支持部３２の各々の高さ（図８に於ける上下方向の高さ）が押さえ部３３とシャッタ金具２０の板状部２１の間隔を決定する。従って、二段目部３５Ｂ、三段目部３５Ｃ、基部３４及び第一支持部３２の各々の高さは、各社の太陽電池パネル５の縁部５Ａの厚みに各々合わせて決めておけばよい。例えば、各社の太陽電池パネル５の縁部５Ａの厚みが３５ｍｍ、４０ｍｍ、４６ｍｍの場合には、それに合わせて、二段目部３５Ｂの高さを６ｍｍ、三段目部３５Ｃの高さを５ｍｍとすればよい。尚、一段目部３５Ａは開口２５Ａに差し込まれてしまうので、一段目部３５Ａの高さは押さえ部３３とシャッタ金具２０の板状部２１の間隔に影響がない。
【００２９】
＜６．固定金具支持部材６の構造＞
次に、図１０及び図１１を参照して、固定金具支持部材６の構造を説明する。固定金具支持部材６は、金属製の板材から形成され、少なくとも、図１０に示すように、正面視すると上下方向に長い略長方形の支持板部６１と支持板部６１の下部６５から支持板部６１と交差する方向（一例として直交する方向）に延設された基部６６とから構成される。支持板部６１の上部には、上下方向（支持板部６１の長手方向）に並んで、支持ボルト１５（図１、図１２参照）が貫通する固定金具支持部材側ボルト孔６１Ａ，６１Ｂが形成されている。
【００３０】
固定金具支持部材６の図１０に示す正面側において、固定金具支持部材側ボルト孔６１Ａの左斜め上には、パネル固定金具４のブラケット金具１０の先端部１１Ｃ（図１２参照）が差し込まれる切り欠きである差込部６２Ａが形成されている。固定金具支持部材側ボルト孔６１Ａの右斜め上には、パネル固定金具３のブラケット金具１０の先端部１１Ｃが差し込まれる切り欠きである差込部６２Ｂが形成されている。また、固定金具支持部材側ボルト孔６１Ｂの左斜め上には、パネル固定金具４のブラケット金具１０の先端部１１Ｃが差し込まれる切り欠きである差込部６３Ａが形成されている。固定金具支持部材側ボルト孔６１Ｂの右斜め上には、パネル固定金具３のブラケット金具１０の先端部１１Ｃが差し込まれる切り欠きである差込部６３Ｂが形成されている。差込部６２Ａ及び差込部６３Ａには、支持板部６１の前面から裏面に向けて直角に折り曲げた折曲部６２Ｃ及び折曲部６３Ｃが各々設けられている。また、差込部６２Ｂ及び差込部６３Ｂには、支持板部６１の裏面から前面に向けて直角に折り曲げた折曲部６２Ｄ及び折曲部６３Ｄが各々設けられている。図１２に示すように、折曲部６２Ｃ、折曲部６２Ｄ、折曲部６３Ｃ、及び折曲部６３Ｄは、ブラケット金具１０の先端部１１Ｃの下面に当接して支持する。従って、折曲部６２Ｃ、折曲部６２Ｄ、折曲部６３Ｃ、及び折曲部６３Ｄは本発明の「係止部」の一例である。
【００３１】
また、図１０〜図１２に示すように、固定金具支持部材６の支持板部６１の左右端部には、前側に折り曲げられた補強壁６４Ａ，６４Ｂが各々形成されている。さらに、図１１に示すように、基部６６は平面視すると略正方形であり、内側が四隅が円弧になった略四角形に下側に凸出した凸出部６７が形成されている。凸出部６７の中央には、ボルト穴６９が形成されている。ボルト穴６９には、固定金具支持部材６の基部６６をリップ溝形鋼８に固定された図示外の固定金具に固定する図示外のボルトが貫通し、図示外のナットにより固定金具支持部材６の基部６６が固定される。凸出部６７の各辺の中央部には水抜き孔６８（６８Ａ，６８Ｂ，６８Ｃ，６８Ｄ）が各々形成されている。支持板部６１と基部６６との接続部の中央にも水抜き孔７０が形成されている。また、基部６６の左右端部には、上方に折り曲げられた補強壁６６Ａ，６６Ｂが各々形成されている。補強壁６４Ａの下端部と補強壁６６Ａの後端部とは接続されている。補強壁６４Ｂの下端部と補強壁６６Ｂの後端部とは接続されている。
【００３２】
＜７．固定金具支持部材７の構造＞
次に、図１１及び図１３を参照して、固定金具支持部材７の構造を説明する。固定金具支持部材７は、固定金具支持部材６の上下方向の長さを短くしたものであり、正面視すると略長方形の金属の板材から構成された支持板部７１と支持板部７１の下部から支持板部７１と交差する方向（一例として直交する方向）に延設された基部７７とから構成される。支持板部７１は、支持ボルト１５（図１、図１２参照）が貫通する固定金具支持部材側ボルト孔７１Ａが一つしか形成されていない点と、ブラケット金具１０の先端部１１Ｃが差し込まれる差込部７２Ａ及び差込部７２Ｂが一対のみしか形成されていない点とが、図１０に示す固定金具支持部材６とは異なるのみであり、他の構造は固定金具支持部材６と同様である。差込部７２Ａには、支持板部７１の前面から裏面に向けて直角に折り曲げた折曲部７２Ｃが設けられ、差込部７２Ｂには、支持板部７１の裏面から前面に向けて直角に折り曲げた折曲部７２Ｄが設けられている。折曲部７２Ｃ、及び折曲部７２Ｄは、ブラケット金具１０の先端部１１Ｃの下面に当接して支持する。基部７７の構造は、図１１に示す基部６６の構造と同じである。従って、折曲部７２Ｃ及び折曲部７２Ｄは本発明の「係止部」の一例である。
【００３３】
＜８．パネル固定金具３の使用方法の一例＞
次に、図２及び図１４を参照して、パネル固定金具３の使用方法について説明する。図１４に示す太陽電池パネル５では、太陽電池５Ｂを縁部５Ａが支えている。図１４（Ａ）は、一例として、縁部５Ａの厚み（図１４（Ａ）に於ける上下方向の高さ）が４６ｍｍの太陽電池パネル５を保持したパネル固定金具３の正面図である。図１４（Ｂ）は、一例として、縁部５Ａの厚み（図１４（Ｂ）に於ける上下方向の高さ）が４０ｍｍの太陽電池パネル５を保持したパネル固定金具３の正面図である。図１４（Ｃ）は、一例として、縁部５Ａの厚み（図１４（Ｂ）に於ける上下方向の高さ）が３５ｍｍの太陽電池パネル５を保持したパネル固定金具３の正面図である。
【００３４】
図１４（Ａ）に示す縁部５Ａの厚みが４６ｍｍの太陽電池パネル５を保持する場合には、作業者は六角の頭部４１Ａを有する締付ボルト４１をブラケット金具１０の第二ボルト孔１１Ａ及びシャッタ金具２０の第三ボルト孔２４の開口２４Ａに貫通し、ナット５１を締める。この場合には、シャッタ金具２０の被差込部２５の一番幅の狭い開口２５Ａがブラケット金具１０の差込口１１Ｂに重なる。従って、開口２５Ａと差込口１１Ｂとが重なってできた開口には、ホールド金具３０の差込部３５の一段目部３５Ａが差し込み可能であり、二段目部３５Ｂは差し込めない。従って、ホールド金具３０の押さえ部３３の下面とシャッタ金具２０の板状部２１の上面との間隔が一番広くなり、縁部５Ａの厚みが４６ｍｍの太陽電池パネル５が保持可能となる。この状態で、ホールド金具３０の第一ボルト孔３１Ａを貫通する締付ボルト４１にナット５２を締め込んで縁部５Ａの厚みが４６ｍｍの太陽電池パネル５が確実に保持される。
【００３５】
図１４（Ｂ）に示す縁部５Ａの厚みが４０ｍｍの太陽電池パネル５を保持する場合には、作業者は六角の頭部４１Ａを有する締付ボルト４１をブラケット金具１０の第二ボルト孔１１Ａ及びシャッタ金具２０の第三ボルト孔２４の開口２４Ｂに貫通し、ナット５１を締める。この場合には、シャッタ金具２０の被差込部２５の開口２５Ｂがブラケット金具１０の差込口１１Ｂに重なる。従って、開口２５Ｂと差込口１１Ｂとが重なってできた開口には、ホールド金具３０の差込部３５の二段目部３５Ｂまで差し込み可能であり、三段目部３５Ｃは差し込めない。従って、ホールド金具３０の押さえ部３３の下面とシャッタ金具２０の板状部２１の上面との間隔が二番に広くなり、縁部５Ａの厚みが４０ｍｍの太陽電池パネル５が保持可能となる。この状態で、ホールド金具３０の第一ボルト孔３１Ａを貫通する締付ボルト４１にナット５２を締め込んで縁部５Ａの厚みが４０ｍｍの太陽電池パネル５が確実に保持される。
【００３６】
図１４（Ｃ）に示す縁部５Ａの厚みが３５ｍｍの太陽電池パネル５を保持する場合には、作業者は六角の頭部４１Ａを有する締付ボルト４１をブラケット金具１０の第二ボルト孔１１Ａ及びシャッタ金具２０の第三ボルト孔２４の開口２４Ｃに貫通し、ナット５１を締める。この場合には、シャッタ金具２０の被差込部２５の一番幅の広い開口２５Ｃがブラケット金具１０の差込口１１Ｂに重なる。従って、開口２５Ｃと差込口１１Ｂとが重なってできた開口には、ホールド金具３０の差込部３５の三段目部３５Ｃまで差し込み可能であり、基部３４は差し込めない。従って、ホールド金具３０の押さえ部３３の下面とシャッタ金具２０の板状部２１の上面との間隔が一番狭くなり、縁部５Ａの厚みが３５ｍｍの太陽電池パネル５が保持可能となる。この状態で、ホールド金具３０の第一ボルト孔３１Ａを貫通する締付ボルト４１にナット５２を締め込んで縁部５Ａの厚みが３５ｍｍの太陽電池パネル５が確実に保持される。
【００３７】
＜９．パネル固定金具ユニット１及びパネル固定金具ユニット２の使用方法の一例＞
図１に示すように、傾斜方向の長さが長い太陽電池パネル５を固定する場合には、パネル固定金具ユニット１では、固定金具支持部材６の上側の孔である固定金具支持部材側ボルト孔６１Ａ（図１０参照）を使用して、パネル固定金具３，４を固定する。これに対して、図１５に示すように傾斜方向の長さが短い太陽電池パネル５を固定する場合には、固定金具支持部材６の下側の孔である固定金具支持部材側ボルト孔６１Ｂ（図１０参照）を使用して、パネル固定金具３，４を固定する。この場合、長さの異なる太陽電池パネル５でも、略同一傾斜角度（一例として１０度）で固定することができる。また、パネル固定金具ユニット１を太陽電池パネル５，５の山部に、パネル固定金具ユニット２を太陽電池パネル５，５の谷部に用いることにより、図１及び図１５に示すように、太陽電池パネル５を山、谷、山、谷と組み合わせることができる。この山、谷、山、谷の方向（図１及び図１５の上下方向）を、東西方向に配置することにより、一日の太陽の移動による、太陽電池パネル５の発電量のむらを均すことができる。
【００３８】
以上、説明したように、本実施の形態のパネル固定金具３，４及び固定金具支持部材６，７では、一種類のパネル固定金具３，４で複数種類の厚みの太陽電池パネル５を保持することができる。また、ホールド金具３０の差込部３５がシャッタ金具２０の被差込部２５がブラケット金具１０の差込口１１Ｂに重なった開口に差し込まれており、差込部３５の差し込まれた部分の一段上の幅の広い部分が被差込部２５の周囲の金具に当接している。従って、強風等により太陽電池パネル５に下側から上向きに力がかかった場合でも、締付ボルト４１を支点とし、押さえ部３３に上向きに力が働いても、作用点である差込部３５が下向きに下がることがなく、締付ボルト４１を支点としてホールド金具３０が搖動しない。従って、強風等により太陽電池パネル５が外れることを防止できる。また、固定金具支持部材６は補強壁６４Ａ，６４Ｂ，６６Ａ，６６Ｂを有しているので、強度が高まり変形しにくい。固定金具支持部材７も同様である。
【００３９】
また、本実施の形態では、第三ボルト孔２４の複数の開口のピッチと、被差込部２５の複数の開口のピッチが同一であるので、シャッタ金具２０の板状部２１に形成された第三ボルト孔２４の複数の開口の何れかに締付ボルト４１を貫通することにより、ブラケット金具１０に対するシャッタ金具２０の位置が決まり、ブラケット金具１０の差込口１１Ｂと重なるシャッタ金具２０の被差込部２５の開口の位置が決まる。従って、ブラケット金具１０の差込口１１Ｂと重なるシャッタ金具２０の被差込部２５の開口の位置合わせが容易にできる。また、シャッタ金具２０の板状部２１に突起２３が複数形成されているので、突起２３が太陽電池パネル５の縁部５Ａの下面に食い込み、パネル固定金具３と太陽電池パネル５の縁部５Ａとの電気的導通を確実に取ることができる。従って、太陽電池パネル５のアースが確実に取れる。
【００４０】
＜１０．第二実施の形態＞
次に、図１７及び図１８を参照して、第二実施の形態であるパネル固定金具ユニット８０について説明する。第一実施形態であるパネル固定金具ユニット１，２は、ブラケット金具１０を左右一対備えていたが、図１７に示すように、第二実施の形態であるパネル固定金具ユニット８０は、ブラケット金具９０、固定金具支持部材８１、シャッタ金具２０、ホールド金具３０及び図示しないボルト及びナットから構成され、ブラケット金具９０は、第二支持部９２と左右一対のシャッタ金具載置部９１，９１が一体に構成される。
【００４１】
ブラケット金具９０は、固定金具支持部材８１に支持される金具であり、金属の一枚の板材により構成される。ブラケット金具９０は、平面視矩形の平板である第二支持部９２と、第二支持部９２の左端部に接続された平面視矩形（一例として長方形）の平板であるシャッタ金具載置部９１及び第二支持部９２の右端部に接続された平面視矩形の平板であるシャッタ金具載置部９１とから構成される。第二支持部９２の左端部に接続されたシャッタ金具載置部９１は、左下方に向けて傾斜し、第二支持部９２の右端部に接続されたシャッタ金具載置部９１は、右下方に向けて傾斜している。従って、ブラケット金具９０は、第二支持部９２を挟んで第二支持部９２と交差する方向に各々延設された一対のシャッタ金具載置部９１，９１を備えている。第二支持部９２と反対側のシャッタ金具載置部９１の端部からは、上方に向けて略長方形の板材の保持部９３が突出している。保持部９３は、太陽電池パネル５の裏側に挿入されてのブラケット金具９０から縁部５Ａ（図１４参照）が外れることを防止する。
【００４２】
第二支持部９２の中央には、図示外の支持ボルトが貫通する支持ボルト孔９２Ａが形成されている。シャッタ金具載置部９１には、第一実施の形態のシャッタ金具載置部１１と同様に、図示外の締付ボルトが貫通する第二ボルト孔９１Ａが形成されている。また、シャッタ金具載置部９１の第二ボルト孔９１Ａの第二支持部９２寄りには、シャッタ金具載置部９１の長手方向と直交する方向（第二支持部９２と直交する方向）に延設された長方形の孔である差込口９１Ｂが形成されている。
【００４３】
次に、図１７を参照して、固定金具支持部材８１の構造を説明する。固定金具支持部材８１は、金属製の板材から形成され、正面視すると上下方向に長い略長方形の支持板部８２と支持板部８２の下部から支持板部８２と交差する方向（一例として直交する前方向）に延設された基部８４と、支持板部８２の上部から支持板部８２と交差する方向（一例として直交する後ろ）に延設されたブラケット金具支持部８３とから構成される。基部８４は、平面視矩形の板材であり、中央にボルト穴８４Ａが形成されている。ボルト穴８４Ａには、固定金具支持部材８１の基部８４をリップ溝形鋼８（図１参照）に固定された図示外の固定金具に固定する図示外のボルトが貫通し、図示外のナットにより固定金具支持部材８１の基部８４が固定される。支持板部８２と基部８４との接続部には、補強のリブ８４Ｂ，８４Ｂが形成されている。また、ブラケット金具支持部８３は、平面視矩形の板材であり、中央に図示外の支持ボルトが貫通する固定金具支持部材側ボルト孔８３Ａが形成されている。支持板部８２とブラケット金具支持部８３の接続部には、補強のリブ８３Ｂ，８３Ｂが形成されている。尚、図１７では、シャッタ金具２０及びホールド金具３０は、一組しか記載されていないが、左側のシャッタ金具載置部９１にも載置できることは言うまでもない。  
【００４４】
次に、パネル固定金具ユニット８０の使用方法について説明する。パネル固定金具ユニット８０を図１に示すパネル固定金具ユニット１の代わりに使用する場合には、図１７に示すようにブラケット金具９０のシャッタ金具載置部９１が第二支持部９２から離間するにつれて下方に傾斜する状態で使用する。この場合には、ブラケット金具９０が１枚で、第一実施形態のブラケット金具１０の２枚分の働きをすることができる。また、ブラケット金具９０は１回のプレス加工により容易に形成できる。また、パネル固定金具ユニット８０を図１に示すパネル固定金具ユニット２の代わりに使用する場合には、図１８に示すようにブラケット金具９０のシャッタ金具載置部９１が第二支持部９２から離間するにつれて上方に傾斜する状態で使用する。即ち、図１７に示すブラケット金具９０を裏返して使用する。従って、一種類のブラケット金具９０で二通りの使い方ができ、パネル固定金具ユニット１及び２に対応することができる。
【００４５】
尚、本発明は上記の実施の形態に限定されるものではなく、種々の変更が可能である。例えば、図１６に示すように、ホールド金具３０の差込部３５は階段状でなく、直線状の傾斜部としてもよい。この場合には、ホールド金具３０の製造が容易になり、被差込部２５の開口幅の調整だけで、ホールド金具３０の保持できる太陽電池パネル５の縁部５Ａの厚みを任意に変更できる。また、固定金具支持部材６の固定金具支持部材側ボルト孔は２つに限られず、１つ、３つ等任意の数でよい。また、固定金具支持部材７の固定金具支持部材側ボルト孔は１つに限られず２つ等複数設けてもよい。また、パネル固定金具３，４が保持するパネルは、必ずしも太陽電池パネル５に限られなず、各種のパネルの保持に利用できる。
【符号の説明】
【００４６】
１  パネル固定金具ユニット
２  パネル固定金具ユニット
３  パネル固定金具
４  パネル固定金具
５  太陽電池パネル
５Ａ  縁部
６  固定金具支持部材
７  固定金具支持部材
１０  ブラケット金具
１１  シャッタ金具載置部
１１Ａ  第二ボルト孔
１１Ｂ  差込口
１２  第二支持部
１３  保持部
１４  支持部
１４Ａ  支持ボルト孔
１５  支持ボルト
２０  シャッタ金具
２１  板状部
２３  突起
２４  第三ボルト孔
２４Ａ〜２４Ｃ  開口
２５  被差込部
２５Ａ〜２５Ｃ  開口
３０  ホールド金具
３１  板部
３１Ａ  第一ボルト孔
３２  第一支持部
３３  押さえ部
３４  基部
３５  差込部
３５Ａ  一段目部
３５Ｂ  二段目部
３５Ｃ  三段目部
４１  締付ボルト
８０  パネル固定金具ユニット
８１  固定金具支持部材
８２  支持板部
８３  ブラケット金具支持部
８４  基部
９０  ブラケット金具
９１  シャッタ金具載置部
９１Ａ  第二ボルト孔
９１Ｂ  差込口
９２    第二支持部
９２Ａ  支持ボルト孔
９３    保持部
【図１】
2016090047.tif 000003
【図２】
2016090047.tif 000004
【図３】
2016090047.tif 000005
【図４】
2016090047.tif 000006
【図５】
2016090047.tif 000007
【図６】
2016090047.tif 000008
【図７】
2016090047.tif 000009
【図８】
2016090047.tif 000010
【図９】
2016090047.tif 000011
【図１０】
2016090047.tif 000012
【図１１】
2016090047.tif 000013
【図１２】
2016090047.tif 000014
【図１３】
2016090047.tif 000015
【図１４】
2016090047.tif 000016
【図１５】
2016090047.tif 000017
【図１６】
2016090047.tif 000018
【図１７】
2016090047.tif 000019
【図１８】
2016090047.tif 000020